(57)【要約】【課題】適切に残容量を通知する充電制御装置、充電ケース、充電システム、充電制御方法およびプログラムを提供すること。【解決手段】ワイヤレスイヤホン５０を着脱可能な筐体１０Ｈと、ワイヤレスイヤホン５０のイヤホン用バッテリ５６を充電するケース用バッテリ１７と、イヤホン用バッテリ５６を充電するイヤホン用充電回路２２と、筐体１０Ｈへのワイヤレスイヤホン５０の着脱状態を検出する検出部３２と、イヤホン用バッテリ５６の使用可能時間を予測する予測部３３と、検出部３２がワイヤレスイヤホン５０が筐体１０Ｈから取り外し状態であることを検出した場合、予測部３３の予測結果に基づいて、イヤホン用バッテリ５６の残容量を通知する時間に到達したかを判定する判定部３５と、残容量を通知する時間に到達したと判定した場合、残容量に関する通知を出力する制御を行う出力制御部３７とを備える。【選択図】図２
2020108223.tif 000002
【特許請求の範囲】
【請求項１】
ワイヤレスイヤホンを着脱可能な筐体への前記ワイヤレスイヤホンの着脱状態を検出する検出部と、
前記筐体に配置されたケース用バッテリによって充電される前記ワイヤレスイヤホンのイヤホン用バッテリの使用可能時間を予測する予測部と、
前記検出部が前記ワイヤレスイヤホンが前記筐体から取り外し状態であることを検出した場合、前記予測部の予測結果に基づいて、前記イヤホン用バッテリの残容量を通知する時間に到達したかを判定する判定部と、
前記判定部が前記イヤホン用バッテリの残容量を通知する時間に到達したと判定した場合、前記イヤホン用バッテリの残容量に関する通知を出力する制御を行う出力制御部と、
を備えることを特徴とする充電制御装置。
【請求項２】
ワイヤレスイヤホンを着脱可能な筐体と、
前記筐体に配置され、前記ワイヤレスイヤホンのイヤホン用バッテリを充電するケース用バッテリと、
前記ケース用バッテリから供給される電力によって前記イヤホン用バッテリを充電する充電回路と、
前記筐体へのワイヤレスイヤホンの着脱状態を検出する検出部と、
前記イヤホン用バッテリの使用可能時間を予測する予測部と、
前記検出部が前記ワイヤレスイヤホンが前記筐体から取り外し状態であることを検出した場合、前記予測部の予測結果に基づいて、前記イヤホン用バッテリの残容量を通知する時間に到達したかを判定する判定部と、
前記判定部が前記イヤホン用バッテリの残容量を通知する時間に到達したと判定した場合、前記イヤホン用バッテリの残容量に関する通知を出力する制御を行う出力制御部と、
を備えることを特徴とする充電ケース。
【請求項３】
前記イヤホン用バッテリの左イヤホン用バッテリと右イヤホン用バッテリとのうち、残容量が少ない方を特定する特定部、
を備え、
前記判定部は、前記特定部によって特定された残容量が少ない方についての前記予測部の予測結果に基づいて、前記イヤホン用バッテリの残容量を通知する時間に到達したかを判定する、
請求項２に記載の充電ケース。
【請求項４】
前記イヤホン用バッテリから残容量を取得する残容量取得部、
を備え、
前記予測部は、前記残容量取得部が取得した前記残容量に基づいて、予測する、
請求項２または３に記載の充電ケース。
【請求項５】
前記ワイヤレスイヤホンにおける音楽データの再生情報に基づいて、前記イヤホン用バッテリの残容量に関する通知の通知方法を選択する通知選択部、
を備え、
前記出力制御部は、前記通知選択部が選択した通知方法に基づいて、制御を行う、
請求項２から４のいずれか一項に記載の充電ケース。
【請求項６】
請求項２から５のいずれか一項に記載の充電ケースと、
前記ワイヤレスイヤホンと、
を備えることを特徴とする充電システム。
【請求項７】
ワイヤレスイヤホンを着脱可能な筐体への前記ワイヤレスイヤホンの着脱状態を検出する検出ステップと、
前記筐体に配置されたケース用バッテリによって充電される前記ワイヤレスイヤホンのイヤホン用バッテリの使用可能時間を予測する予測ステップと、
前記検出ステップによって前記ワイヤレスイヤホンが前記筐体から取り外し状態であることが検出された場合、前記予測ステップにおける予測結果に基づいて、前記イヤホン用バッテリの残容量を通知する時間に到達したかを判定する判定ステップと、
前記判定ステップによって前記イヤホン用バッテリの残容量を通知する時間に到達したと判定された場合、前記イヤホン用バッテリの残容量に関する通知を出力する制御を行う出力制御ステップと、
を含む充電制御方法。
【請求項８】
ワイヤレスイヤホンを着脱可能な筐体への前記ワイヤレスイヤホンの着脱状態を検出する検出ステップと、
前記筐体に配置されたケース用バッテリによって充電される前記ワイヤレスイヤホンのイヤホン用バッテリの使用可能時間を予測する予測ステップと、
前記検出ステップによって前記ワイヤレスイヤホンが前記筐体から取り外し状態であることが検出された場合、前記予測ステップにおける予測結果に基づいて、前記イヤホン用バッテリの残容量を通知する時間に到達したかを判定する判定ステップと、
前記判定ステップによって前記イヤホン用バッテリの残容量を通知する時間に到達したと判定された場合、前記イヤホン用バッテリの残容量に関する通知を出力する制御を行う出力制御ステップと、
を充電制御装置として動作するコンピュータに実行させるためのプログラム。
【発明の詳細な説明】
【技術分野】
【０００１】
本発明は、充電制御装置、充電ケース、充電システム、充電制御方法およびプログラムに関する。
【背景技術】
【０００２】
Ｂｌｕｅｔｏｏｔｈ（登録商標）イヤホンなどバッテリを内蔵した商品が増えている中、商品の小型化が進んでいる。それに伴って、バッテリの小型化も進んでおり、バッテリの持ち時間が課題になっている。このような状況では、バッテリ残量がわずかとなった場合、充電を促す通知機能が重要になっている。イヤホン自体がバッテリ残量を監視して、イヤホン自体が通知音を鳴らす技術が知られている（例えば、特許文献１参照）。
【先行技術文献】
【特許文献】
【０００３】
【特許文献１】特開２００３−０８７３６７号公報
【発明の概要】
【発明が解決しようとする課題】
【０００４】
しかしながら、ユーザがイヤホンを装着していない場合、通知音を聞き漏らすおそれがある。また、音楽再生中に通知音が鳴った場合、ユーザが不快に感じるおそれがある。
【０００５】
本発明は、上記に鑑みてなされたものであって、適切に残容量を通知する充電制御装置、充電ケース、充電システム、充電制御方法およびプログラムを提供することを目的とする。
【課題を解決するための手段】
【０００６】
上述した課題を解決し、目的を達成するために、本発明に係る充電制御装置は、ワイヤレスイヤホンを着脱可能な筐体への前記ワイヤレスイヤホンの着脱状態を検出する検出部と、前記筐体に配置されたケース用バッテリによって充電される前記ワイヤレスイヤホンのイヤホン用バッテリの使用可能時間を予測する予測部と、前記検出部が前記ワイヤレスイヤホンが前記筐体から取り外し状態であることを検出した場合、前記予測部の予測結果に基づいて、前記イヤホン用バッテリの残容量を通知する時間に到達したかを判定する判定部と、前記判定部が前記イヤホン用バッテリの残容量を通知する時間に到達したと判定した場合、前記イヤホン用バッテリの残容量に関する通知を出力する制御を行う出力制御部と、を備えることを特徴とする。
【０００７】
本発明に係る充電ケースは、ワイヤレスイヤホンを着脱可能な筐体と、前記筐体に配置され、前記ワイヤレスイヤホンのイヤホン用バッテリを充電するケース用バッテリと、前記ケース用バッテリから供給される電力によって前記イヤホン用バッテリを充電する充電回路と、前記筐体へのワイヤレスイヤホンの着脱状態を検出する検出部と、前記イヤホン用バッテリの使用可能時間を予測する予測部と、前記検出部が前記ワイヤレスイヤホンが前記筐体から取り外し状態であることを検出した場合、前記予測部の予測結果に基づいて、前記イヤホン用バッテリの残容量を通知する時間に到達したかを判定する判定部と、前記判定部が前記イヤホン用バッテリの残容量を通知する時間に到達したと判定した場合、前記イヤホン用バッテリの残容量に関する通知を出力する制御を行う出力制御部と、ことを特徴とする。
【０００８】
本発明に係る充電システムは、上記の充電ケースと、ワイヤレスイヤホンと、を備えることを特徴とする。
【０００９】
本発明に係る充電制御方法は、ワイヤレスイヤホンを着脱可能な筐体への前記ワイヤレスイヤホンの着脱状態を検出する検出ステップと、前記筐体に配置されたケース用バッテリによって充電される前記ワイヤレスイヤホンのイヤホン用バッテリの使用可能時間を予測する予測ステップと、前記検出ステップによって前記ワイヤレスイヤホンが前記筐体から取り外し状態であることが検出された場合、前記予測ステップにおける予測結果に基づいて、前記イヤホン用バッテリの残容量を通知する時間に到達したかを判定する判定ステップと、前記判定ステップによって前記イヤホン用バッテリの残容量を通知する時間に到達したと判定された場合、前記イヤホン用バッテリの残容量に関する通知を出力する制御を行う出力制御ステップと、を含む。
【００１０】
本発明に係るプログラムは、ワイヤレスイヤホンを着脱可能な筐体への前記ワイヤレスイヤホンの着脱状態を検出する検出ステップと、前記筐体に配置されたケース用バッテリによって充電される前記ワイヤレスイヤホンのイヤホン用バッテリの使用可能時間を予測する予測ステップと、前記検出ステップによって前記ワイヤレスイヤホンが前記筐体から取り外し状態であることが検出された場合、前記予測ステップにおける予測結果に基づいて、前記イヤホン用バッテリの残容量を通知する時間に到達したかを判定する判定ステップと、前記判定ステップによって前記イヤホン用バッテリの残容量を通知する時間に到達したと判定された場合、前記イヤホン用バッテリの残容量に関する通知を出力する制御を行う出力制御ステップとをコンピュータに実行させる。
【発明の効果】
【００１１】
本発明によれば、適切に残容量を通知する充電制御装置、充電ケース、充電システム、充電制御方法およびプログラムを提供することができるという効果を奏する。
【図面の簡単な説明】
【００１２】
【図１】図１は、第一実施形態に係る充電システムの概略を示す斜視図である。
【図２】図２は、第一実施形態に係る充電ケースの構成例を示すブロック図である。
【図３】図３は、第一実施形態に係る左イヤホンの構成例を示すブロック図である。
【図４】図４は、第一実施形態に係る右イヤホンの構成例を示すブロック図である。
【図５】図５は、第一実施形態に係る充電システムにおける処理の流れを示すフローチャートである。
【図６】図６は、第二実施形態に係る充電ケースの構成例を示すブロック図である。
【図７】図７は、第二実施形態に係る充電システムにおける処理の流れを示すフローチャートである。
【図８】図８は、第三実施形態に係る充電ケースの構成例を示すブロック図である。
【図９】図９は、第三実施形態に係る左イヤホンの構成例を示すブロック図である。
【図１０】図１０は、第三実施形態に係る右イヤホンの構成例を示すブロック図である。
【図１１】図１１は、第三実施形態に係る充電システムにおける処理の流れを示すフローチャートである。
【図１２】図１２は、第三実施形態に係る充電システムにおける処理の流れの他の例を示すフローチャートである。
【発明を実施するための形態】
【００１３】
以下に添付図面を参照して、本発明に係る充電システム１の実施形態を詳細に説明する。なお、以下の実施形態により本発明が限定されるものではない。
【００１４】
［第一実施形態］
図１は、第一実施形態に係る充電システムの概略を示す斜視図である。充電システム１は、充電ケース１０と、左右分離型のワイヤレスイヤホン５０とを有する。充電システム１は、充電ケース１０のケース用バッテリ１７がワイヤレスイヤホン５０のイヤホン用バッテリ５６を充電する。充電システム１は、充電ケース１０がワイヤレスイヤホン５０の使用可能時間を予測して、残容量の通知を行う。
【００１５】
ここで、ワイヤレスイヤホン５０は、分離された左イヤホン５０Ｌと右イヤホン５０Ｒとを有する。以下の説明において、左イヤホン５０Ｌと右イヤホン５０Ｒとの区別を要しない場合、ワイヤレスイヤホン５０として説明する。また、イヤホン用バッテリ５６は、左イヤホン用バッテリ（以下、「左バッテリ」という。）５６Ｌと右イヤホン用バッテリ（以下、「右バッテリ」という。）５６Ｒとを含む。以下の説明において、左バッテリ５６Ｌと右バッテリ５６Ｒとの区別を要しない場合、イヤホン用バッテリ５６として説明する。
【００１６】
さらに、図２を用いて、充電ケース１０について説明する。図２は、第一実施形態に係る充電ケース１０の構成例を示すブロック図である。充電ケース１０は、ワイヤレスイヤホン５０を収容可能なケースである。充電ケース１０は、ワイヤレスイヤホン５０を収容した状態で充電する。充電ケース１０は、筐体１０Ｈと、通信部１１と、表示部１２と、スピーカ１３と、振動部１４と、左イヤホン用充電端子（以下、「左充電端子」という。）１５と、右イヤホン用充電端子（以下、「右充電端子」という。）１６と、ケース用バッテリ１７と、電源端子１８と、ケース用充電回路２１と、イヤホン用充電回路（充電回路）２２と、制御部（充電制御装置）３０とを有する。
【００１７】
筐体１０Ｈは、充電ケース１０の外形を規定する。筐体１０Ｈは、ワイヤレスイヤホン５０を着脱可能である。より詳しくは、筐体１０Ｈは、内部にワイヤレスイヤホン５０を収容可能である。本実施形態は、筐体１０Ｈは、円筒状に形成されている。筐体１０Ｈには、通信部１１と表示部１２とスピーカ１３と振動部１４と左充電端子１５と右充電端子１６とケース用バッテリ１７と電源端子１８とケース用充電回路２１とイヤホン用充電回路２２と制御部３０とが配置されている。
【００１８】
通信部１１は、通信ユニットである。通信部１１は、ワイヤレスイヤホン５０および携帯用電子機器１００とデータを送受信可能に接続する。通信部１１は、例えば、Ｂｌｕｅｔｏｏｔｈ、または、ＮＦＭＩ（Ｎｅａｒ  Ｆｉｅｌｄ  Ｍａｇｎｅｔｉｃ  Ｉｎｄｕｃｔｉｏｎ）を含む近距離無線通信や近距離電磁誘導が可能である。本実施形態では、通信部１１は、ワイヤレスイヤホン５０と、Ｂｌｕｅｔｏｏｔｈ接続によってペアリング可能である。本実施形態では、通信部１１は、携帯用電子機器１００と、Ｂｌｕｅｔｏｏｔｈ接続によってペアリング可能である。
【００１９】
表示部１２は、イヤホン用バッテリ５６の残容量に関する通知を表示する。表示部１２は、液晶ディスプレイ（ＬＣＤ：Ｌｉｑｕｉｄ  Ｃｒｙｓｔａｌ  Ｄｉｓｐｌａｙ）または有機ＥＬ（Ｏｒｇａｎｉｃ  Ｅｌｅｃｔｒｏ−Ｌｕｍｉｎｅｓｃｅｎｃｅ）ディスプレイなどを含むディスプレイである。本実施形態では、表示部１２は、筐体１０Ｈの外周面に配置されている。表示部１２は、出力制御部３７の表示制御部３７１から出力された表示信号に基づいて、情報を表示する。
【００２０】
スピーカ１３は、イヤホン用バッテリ５６の残容量に関する通知の音声を出力する。スピーカ１３は、出力制御部３７の音声制御部３７２から出力された音声信号に基づいて、音声を表示する。スピーカ１３は、筐体１０Ｈの外周に配置されている。
【００２１】
振動部１４は、イヤホン用バッテリ５６の残容量に関する通知を示す振動を発生させる。振動部１４は、出力制御部３７の振動制御部３７３から出力された制御信号に基づいて、振動を発生させる。
【００２２】
左充電端子１５は、ワイヤレスイヤホン５０の左イヤホン５０Ｌの左充電端子５７Ｌ（図３参照）が接続可能な端子である。左充電端子１５は、イヤホン用充電回路２２を介して、ケース用バッテリ１７と接続されている。左充電端子１５は、左充電端子５７Ｌを介して、ケース用バッテリ１７から左イヤホン５０Ｌの左バッテリ５６Ｌへ充電電流を供給する。左充電端子１５は、筐体１０Ｈの内周面に配置されている。
【００２３】
右充電端子１６は、ワイヤレスイヤホン５０の右イヤホン５０Ｒの右充電端子５７Ｒ（図４参照）が接続可能な端子である。右充電端子１６は、イヤホン用充電回路２２を介して、ケース用バッテリ１７と接続されている。右充電端子１６は、右充電端子５７Ｒを介して、ケース用バッテリ１７から右イヤホン５０Ｒの右バッテリ５６Ｒへ充電電流を供給する。右充電端子１６は、筐体１０Ｈの内周面に配置されている。
【００２４】
ケース用バッテリ１７は、ワイヤレスイヤホン５０のイヤホン用バッテリ５６を充電する。ケース用バッテリ１７は、ケース用充電回路２１とイヤホン用充電回路２２とに接続されている。ケース用バッテリ１７は、繰り返し充放電を実行可能な充電池である。ケース用バッテリ１７は、例えば、ニッケル水素充電池、リチウムイオン充電池またはリチウムポリマー充電池である。ケース用バッテリ１７は、筐体１０Ｈに内蔵されている。
【００２５】
電源端子１８は、交流電源（商用電源）または直流電源と接続可能である。電源端子１８は、ケース用充電回路２１に接続されている。電源端子１８は、交流電源から供給された交流、または、モバイルバッテリなどの直流電源から供給された直流をケース用充電回路２１へ出力する。
【００２６】
ケース用充電回路２１は、ケース用バッテリ１７を充電する充電回路である。ケース用充電回路２１は、ケース用バッテリ１７と電源端子１８とに接続されている。ケース用充電回路２１は、電源端子１８に交流電源が接続されている場合、電源端子１８を介して入力された交流をケース用バッテリ１７の充電に適した直流に変換して、ケース用バッテリ１７へ供給する。ケース用充電回路２１は、電源端子１８に直流電源が接続されている場合、電源端子１８を介して入力された直流をケース用バッテリ１７へ供給する。
【００２７】
イヤホン用充電回路２２は、ワイヤレスイヤホン５０のイヤホン用バッテリ５６を充電する充電回路である。イヤホン用充電回路２２は、ケース用バッテリ１７と左充電端子１５と右充電端子１６と予測部３３とに接続されている。イヤホン用充電回路２２は、ケース用バッテリ１７から出力された直流をイヤホン用バッテリ５６の充電に適した直流に変換して、左充電端子１５と右充電端子１６とを介してイヤホン用バッテリ５６へ供給する。
【００２８】
制御部３０は、例えば、ＣＰＵ（Ｃｅｎｔｒａｌ  Ｐｒｏｃｅｓｓｉｎｇ  Ｕｎｉｔ）などで構成された演算処理装置である。制御部３０は、図示しない記憶部に記憶されているプログラムをメモリにロードして、プログラムに含まれる命令を実行する。制御部３０には図示しない内部メモリが含まれ、データの一時記憶などに用いられる。制御部３０は、通信制御部３１と、検出部３２と、予測部３３と、通知時間設定部３４と、判定部３５と、通知選択部３６と、出力制御部３７とを有する。
【００２９】
通信制御部３１は、通信部１１を制御することで、ワイヤレスイヤホン５０または携帯用電子機器１００と無線通信を行う。
【００３０】
検出部３２は、筐体１０Ｈへのワイヤレスイヤホン５０の着脱状態を検出する。検出部３２は、左充電端子１５と左イヤホン５０Ｌとの電気的な接続状態、および、右充電端子１６と右イヤホン５０Ｒとの電気的な接続状態に基づいて、着脱状態を検出する。検出部３２は、左充電端子１５と左イヤホン５０Ｌとが電気的に接続され、右充電端子１６と右イヤホン５０Ｒとが電気的に接続されている場合、筐体１０Ｈへワイヤレスイヤホン５０が取り付けられた状態であることを検出する。検出部３２は、左充電端子１５と左イヤホン５０Ｌとが電気的に接続されていない、または、右充電端子１６と右イヤホン５０Ｒとが電気的に接続されていない場合、筐体１０Ｈからワイヤレスイヤホン５０が取り外された状態であることを検出する。
【００３１】
検出部３２は、筐体１０Ｈへのワイヤレスイヤホン５０の着脱状態を、他の方法によって検出してもよい。例えば、検出部３２は、筐体１０Ｈへのワイヤレスイヤホン５０の着脱によって可動する可動部材の動作に基づいて着脱状態を検出してもよい。検出部３２は、筐体１０Ｈへのワイヤレスイヤホン５０の着脱を検出するセンサの検出結果に基づいて着脱状態を検出してもよい。例えば、検出部３２は、ワイヤレスイヤホン５０から取得した使用状態を表す使用情報が音楽データを再生していることを示す場合、ワイヤレスイヤホン５０が取り外されていることを検出してもよい。
【００３２】
予測部３３は、ワイヤレスイヤホン５０のイヤホン用バッテリ５６の使用可能時間を予測する。より詳しくは、予測部３３は、ワイヤレスイヤホン５０のイヤホン用バッテリ５６の充電時、イヤホン用充電回路２２から充電電流と充電時間とを含む充電情報を取得する。そして、予測部３３は、イヤホン用充電回路２２から取得した充電情報に基づいて、イヤホン用バッテリ５６の残容量を算出して、残容量から使用可能時間を予測する。なお、イヤホン用バッテリ５６の残容量と使用可能時間との関係は、あらかじめ記憶部に記憶されている。または、予測部３３は、筐体１０Ｈにワイヤレスイヤホン５０が取り付けられた状態において、左充電端子１５または右充電端子１６からイヤホン用バッテリ５６の電圧の情報を取得して、イヤホン用バッテリ５６の電圧から使用可能時間を予測してもよい。なお、イヤホン用バッテリ５６の電圧と使用可能時間との関係は、あらかじめ記憶部に記憶されている。
【００３３】
通知時間設定部３４は、予測部３３が予測した使用可能時間に基づいて、残容量の通知を行う時間を設定する。より詳しくは、通知時間設定部３４は、使用可能時間の所定時間前を残容量の通知を行う時間に設定する。例えば、通知時間設定部３４は、使用可能時間が「１８０分」である場合、使用可能時間の「３０分前」である「１５０分後」を残容量の通知を行う時間に設定する。または、通知時間設定部３４は、使用可能時間に所定割合を乗算した時間を残容量の通知を行う時間に設定してもよい。例えば、通知時間設定部３４は、使用可能時間が「１００分」である場合、「０．８」を乗算した「８０分後」を残容量の通知を行う時間に設定してもよい。
【００３４】
判定部３５は、検出部３２がワイヤレスイヤホン５０が筐体１０Ｈから取り外し状態であることを検出した場合、予測部３３の予測結果に基づいて、イヤホン用バッテリ５６の残容量を通知する時間に到達したかを判定する。判定部３５は、検出部３２の検出結果が示すワイヤレスイヤホン５０の状態が、装着状態から取り外し状態に変わったときからの経過時間、言い換えると、ワイヤレスイヤホン５０を取り外したときからの経過時間が残容量を通知する時間に到達したかを判定する。
【００３５】
通知選択部３６は、判定部３５が残容量を通知する時間に到達したと判定した場合、イヤホン用バッテリ５６の残容量を通知する通知方法を選択する。より詳しくは、通知選択部３６は、ワイヤレスイヤホン５０から取得した音楽データの再生状態を示す再生情報を含む使用情報が示す使用状態に応じて、表示によって通知する方法、音声によって通知する方法、または、振動によって通知する方法のうち１つ以上の通知方法を選択する。例えば、通知選択部３６は、使用情報がワイヤレスイヤホン５０が音楽データを再生していることを示す場合、表示によって通知する方法、および、振動によって通知する方法を選択する。例えば、通知選択部３６は、使用情報がワイヤレスイヤホン５０が音楽データを再生していないことを示す場合、音声によって通知する方法を選択する。
【００３６】
さらに、通知選択部３６は、検出部３２の検出結果に応じて、残容量の通知を、充電ケース１０、ワイヤレスイヤホン５０、または、携帯用電子機器１００のいずれが行うかを選択してもよい。通知選択部３６は、ワイヤレスイヤホン５０が取り外し状態であり、ワイヤレスイヤホン５０の残容量がゼロである場合、残容量の通知を充電ケース１０または携帯用電子機器１００が行う通知方法を選択する。通知選択部３６は、ワイヤレスイヤホン５０が取り外し状態であり、ワイヤレスイヤホン５０の残容量がゼロより大きい場合、残容量の通知をワイヤレスイヤホン５０が行う通知方法を選択する。通知選択部３６は、残容量の通知を充電ケース１０が行う通知方法を選択した場合、出力制御部３７に、残容量の通知を実行させる。通知選択部３６は、残容量の通知を携帯用電子機器１００またはワイヤレスイヤホン５０が行う通知方法を選択した場合、通信制御部３１を介して、携帯用電子機器１００またはワイヤレスイヤホン５０に残容量の通知を実行させる制御信号を出力する。
【００３７】
出力制御部３７は、判定部３５がイヤホン用バッテリ５６の残容量を通知する時間に到達したと判定し、通知選択部３６が充電ケース１０から通知する通知方法を選択した場合、イヤホン用バッテリ５６の残容量に関する通知を出力する制御を行う。出力制御部３７は、通知選択部３６が選択した通知方法に基づいて、制御を行う。出力制御部３７は、表示制御部３７１と、音声制御部３７２と、振動制御部３７３とを有する。出力制御部３７は、通知選択部３６が選択した選択方法に従って、表示制御部３７１、音声制御部３７２、または、振動制御部３７３を制御する。
【００３８】
表示制御部３７１は、通知選択部３６が表示によって通知する方法と、充電ケース１０が通知する通知方法を選択した場合、通知を示す情報を表示部１２で出力する制御を行う。
【００３９】
音声制御部３７２は、通知選択部３６が音声によって通知する方法と、充電ケース１０が通知する通知方法を選択した場合、通知を示す音声をスピーカ１３から出力させる制御を行う。
【００４０】
振動制御部３７３は、通知選択部３６が振動によって通知する方法と、充電ケース１０が通知する通知方法を選択した場合、通知を示す振動を振動部１４によって発生させる制御を行う。
【００４１】
ワイヤレスイヤホン５０は、左イヤホン５０Ｌと右イヤホン５０Ｒとを有する。左イヤホン５０Ｌと右イヤホン５０Ｒとは、例えばＢｌｕｅｔｏｏｔｈ接続によってペアリングされている。
【００４２】
図３を用いて、左イヤホン５０Ｌについて説明する。図３は、第一実施形態に係る左イヤホンの構成例を示すブロック図である。左イヤホン５０Ｌは、左耳用のイヤホンである。左イヤホン５０Ｌは、携帯用電子機器１００から音楽データを取得する。左イヤホン５０Ｌは、音楽データの左チャンネルデータをスピーカ５４Ｌから出力する。左イヤホン５０Ｌは、音楽データの右チャンネルデータを右イヤホン５０Ｒへ出力する。左イヤホン５０Ｌは、通信部５１Ｌと、左右用通信部５２Ｌと、発光部５３Ｌと、スピーカ５４Ｌと、振動部５５Ｌと、左バッテリ５６Ｌと、左充電端子５７Ｌと、制御部６０Ｌとを有する。
【００４３】
通信部５１Ｌは、通信ユニットである。通信部５１Ｌは、携帯用電子機器１００とデータを送受信可能に接続する。本実施形態では、通信部５１Ｌは、携帯用電子機器１００から、音楽データを含むデータを受信する。通信部５１Ｌは、例えば、Ｂｌｕｅｔｏｏｔｈ、または、ＮＦＭＩを含む近距離無線通信や近距離電磁誘導が可能である。本実施形態では、通信部５１Ｌは、携帯用電子機器１００と、Ｂｌｕｅｔｏｏｔｈ接続によってペアリング可能である。
【００４４】
左右用通信部５２Ｌは、通信ユニットである。左右用通信部５２Ｌは、右イヤホン５０Ｒとデータを送受信可能に接続する。本実施形態では、左右用通信部５２Ｌは、携帯用電子機器１００から受信した音楽データのうち、右チャンネルデータを右イヤホン５０Ｒへ送信する。左右用通信部５２Ｌは、例えば、Ｂｌｕｅｔｏｏｔｈを含む近距離無線通信が可能である。通信部５１Ｌは、右イヤホン５０Ｒと、Ｂｌｕｅｔｏｏｔｈ接続によってペアリング可能である。
【００４５】
発光部５３Ｌは、イヤホン用バッテリ５６の残容量を発光によって表示する。発光部５３Ｌは、例えばＬＥＤ（Ｌｉｇｈｔ  Ｅｍｉｔｔｉｎｇ  Ｄｉｏｄｅ）である。発光部５３Ｌは、本実施形態では、左イヤホン５０Ｌの外周面に配置されている。発光部５３Ｌは、出力制御部６３Ｌの発光制御部６３１Ｌから出力された制御信号に基づいて、発光したり発光を停止したりする。
【００４６】
スピーカ５４Ｌは、左耳において視聴させる音声を出力する。スピーカ５４Ｌは、出力制御部６３Ｌの音声制御部６３２Ｌにおいて、音楽データの左チャンネルデータをＤ／Ａ変換して得られた電気信号を音に変換して出力する。また、スピーカ５４Ｌは、音声制御部６３２Ｌから出力された、イヤホン用バッテリ５６の残容量に関する通知の音声を出力する。
【００４７】
振動部５５Ｌは、イヤホン用バッテリ５６の残容量に関する通知を示す振動を発生させる。振動部５５Ｌは、出力制御部６３Ｌの振動制御部６３３Ｌから出力された制御信号に基づいて、振動を発生させる。
【００４８】
左バッテリ５６Ｌは、左イヤホン５０Ｌが動作するための電力を供給する。左バッテリ５６Ｌは、左充電端子５７Ｌと接続されている。左バッテリ５６Ｌは、繰り返し充放電を実行可能な電池である。左バッテリ５６Ｌは、例えば、ニッケル水素充電池、リチウムイオン充電池またはリチウムポリマー充電池である。左バッテリ５６Ｌは、左イヤホン５０Ｌに内蔵されている。
【００４９】
左充電端子５７Ｌは、充電ケース１０の左充電端子１５と接続可能な端子である。左充電端子５７Ｌは、左バッテリ５６Ｌに接続されている。左充電端子５７Ｌは、左充電端子１５から供給された充電電流を左バッテリ５６Ｌに供給する。左充電端子５７Ｌは、左イヤホン５０Ｌの外周に配置されている。
【００５０】
制御部６０Ｌは、例えば、ＣＰＵ（Ｃｅｎｔｒａｌ  Ｐｒｏｃｅｓｓｉｎｇ  Ｕｎｉｔ）などで構成された演算処理装置である。制御部６０Ｌは、図示しない記憶部に記憶されているプログラムをメモリにロードして、プログラムに含まれる命令を実行する。制御部６０Ｌには図示しない内部メモリが含まれ、データの一時記憶などに用いられる。制御部６０Ｌは、通信制御部６１Ｌと、左右用通信制御部６２Ｌと、出力制御部６３Ｌとを有する。
【００５１】
通信制御部６１Ｌは、通信部５１Ｌを制御することで、携帯用電子機器１００及び充電ケース１０と無線通信を行う。
【００５２】
左右用通信制御部６２Ｌは、左右用通信部５２Ｌを制御することで、右イヤホン５０Ｒと無線通信を行う。
【００５３】
出力制御部６３Ｌは、左イヤホン５０Ｌにおける出力を制御する。より詳しくは、出力制御部６３Ｌは、左イヤホン５０Ｌにおいて、音楽データを音として出力する制御を行う。また、出力制御部６３Ｌは、ワイヤレスイヤホン５０において、イヤホン用バッテリ５６の残容量に関する通知を出力する制御を行う。出力制御部６３Ｌは、発光制御部６３１Ｌと、音声制御部６３２Ｌと、振動制御部６３３Ｌとを有する。
【００５４】
発光制御部６３１Ｌは、発光部５３Ｌの発光と発光の停止とを制御する。発光制御部６３１Ｌは、通知選択部３６が表示によって通知する方法と、ワイヤレスイヤホン５０が通知する通知方法を選択した場合、発光部５３Ｌを発光させて通知を示す情報を出力する制御を行う。発光制御部６３１Ｌは、発光部５３Ｌを発光させた後、所定時間が経過した場合、ユーザが通知を停止する操作を行った場合、または、イヤホン用バッテリ５６の充電が開始された場合、発光を停止させる。
【００５５】
音声制御部６３２Ｌは、音楽データの左チャンネルデータをＤ／Ａ変換して増幅した信号をスピーカ５４Ｌから出力させる。また、音声制御部６３２Ｌは、通知選択部３６が音声によって通知する方法と、ワイヤレスイヤホン５０が通知する通知方法を選択した場合、通知の音声をスピーカ５４Ｌから出力させる制御を行う。音声制御部６３２Ｌは、スピーカ５４Ｌから通知の音声を出力した後、所定時間が経過した場合、ユーザが通知を停止する操作を行った場合、または、イヤホン用バッテリ５６の充電が開始された場合、通知の音声の出力を停止する。
【００５６】
振動制御部６３３Ｌは、通知選択部３６が振動によって通知する方法と、ワイヤレスイヤホン５０が通知する通知方法を選択した場合、通知を示す振動を振動部５５Ｌによって発生させる制御を行う。振動制御部６３３Ｌは、振動部５５Ｌを振動させた後、所定時間が経過した場合、ユーザが通知を停止する操作を行った場合、または、イヤホン用バッテリ５６の充電が開始された場合、振動を停止させる。
【００５７】
図４を用いて、右イヤホン５０Ｒについて説明する。図４は、第一実施形態に係る右イヤホンの構成例を示すブロック図である。右イヤホン５０Ｒは、右耳用のイヤホンである。右イヤホン５０Ｒは、左イヤホン５０Ｌから音楽データの右チャンネルデータを取得して出力する。右イヤホン５０Ｒは、左右用通信部５２Ｒと、スピーカ５４Ｒと、右バッテリ５６Ｒと、右充電端子５７Ｒと、制御部６０Ｒとを有する。
【００５８】
左右用通信部５２Ｒは、通信ユニットである。左右用通信部５２Ｒは、左イヤホン５０Ｌとデータを送受信可能に接続する。本実施形態では、左右用通信部５２Ｒは、左イヤホン５０Ｌから音楽データの右チャンネルデータを受信する。左右用通信部５２Ｒは、例えば、Ｂｌｕｅｔｏｏｔｈを含む近距離無線通信が可能である。左右用通信部５２Ｒは、左イヤホン５０Ｌと、Ｂｌｕｅｔｏｏｔｈ接続によってペアリング可能である。
【００５９】
スピーカ５４Ｒは、右耳において視聴させる音声を出力する。スピーカ５４Ｒは、音声制御部６３２Ｒにおいて、音楽データの右チャンネルデータをＤ／Ａ変換して得られた電気信号を音に変換して出力する。
【００６０】
右バッテリ５６Ｒは、右イヤホン５０Ｒが動作するための電力を供給する。右バッテリ５６Ｒは、右充電端子５７Ｒと接続されている。右バッテリ５６Ｒは、繰り返し充放電を実行可能な電池である。右バッテリ５６Ｒは、例えば、ニッケル水素充電池、リチウムイオン充電池またはリチウムポリマー充電池である。右バッテリ５６Ｒは、右イヤホン５０Ｒに内蔵されている。
【００６１】
右充電端子５７Ｒは、充電ケース１０の右充電端子１６と接続可能な端子である。右充電端子５７Ｒは、右バッテリ５６Ｒに接続されている。右充電端子５７Ｒは、右充電端子１６から供給された充電電流を右バッテリ５６Ｒに供給する。右充電端子５７Ｒは、右イヤホン５０Ｒの外周に配置されている。
【００６２】
制御部６０Ｒは、例えば、ＣＰＵ（Ｃｅｎｔｒａｌ  Ｐｒｏｃｅｓｓｉｎｇ  Ｕｎｉｔ）などで構成された演算処理装置である。制御部６０Ｒは、図示しない記憶部に記憶されているプログラムをメモリにロードして、プログラムに含まれる命令を実行する。制御部６０Ｒには図示しない内部メモリが含まれ、データの一時記憶などに用いられる。制御部６０Ｒは、左右用通信制御部６２Ｒと、音声制御部６３２Ｒとを有する。
【００６３】
左右用通信制御部６２Ｒは、左右用通信部５２Ｒを制御することで、左イヤホン５０Ｌと無線通信を行う。
【００６４】
音声制御部６３２Ｒは、右イヤホン５０Ｒにおいて、音楽データを音として出力する制御を行う。音声制御部６３２Ｒは、音楽データの右チャンネルデータをＤ／Ａ変換して増幅した信号をスピーカ５４Ｒから出力させる。
【００６５】
本実施形態では、ワイヤレスイヤホン５０は、左イヤホン５０Ｌが携帯用電子機器１００と通信可能な親機であり、右イヤホン５０Ｒが左イヤホン５０Ｌと通信可能な子機であるものとして説明したが、これに限定されない。ワイヤレスイヤホン５０は、右イヤホン５０Ｒが親機であり、左イヤホン５０Ｌが子機であってもよく、この場合、左イヤホン５０Ｌと右イヤホン５０Ｒとの構成が上記とは逆になる。
【００６６】
次に、図５を用いて、充電システム１における情報処理について説明する。図５は、第一実施形態に係る充電システムにおける処理の流れを示すフローチャートである。
【００６７】
制御部３０は、予測部３３によって、イヤホン用バッテリ５６の使用可能時間を予測する（ステップＳ１０１）。例えば、予測部３３は、ワイヤレスイヤホン５０のイヤホン用バッテリ５６の充電時、イヤホン用充電回路２２から取得した充電情報に基づいて、使用可能時間を予測する。制御部３０は、ステップＳ１０２に進む。
【００６８】
制御部３０は、検出部３２によって、ワイヤレスイヤホン５０が充電ケース１０から取り外されたかを判定する（ステップＳ１０２）。検出部３２は、ワイヤレスイヤホン５０が充電ケース１０から取り外されたと判定する場合（ステップＳ１０２でＹｅｓ）、ステップＳ１０３に進む。検出部３２は、ワイヤレスイヤホン５０が充電ケース１０から取り外されていないと判定する場合（ステップＳ１０２でＮｏ）、ステップＳ１０１の処理を再度実行する。
【００６９】
ワイヤレスイヤホン５０が充電ケース１０から取り外されたと判定する場合（ステップＳ１０２でＹｅｓ）、制御部３０は、通知時間設定部３４によって、予測部３３が予測した使用可能時間に基づいて、残容量の通知を行う時間を設定する（ステップＳ１０３）。より詳しくは、制御部３０は、通知時間設定部３４によって、ワイヤレスイヤホン５０が取り外されたときの使用可能時間から残容量の通知を行う時間を設定する。例えば、予測された使用可能時間が「１８０分」である場合、使用可能時間の「３０分前」である「１５０分後」を残容量の通知を行う時間に設定する。制御部３０は、ステップＳ１０４に進む。
【００７０】
制御部３０は、残容量の通知を行う時間に到達したかを判定する（ステップＳ１０４）。制御部３０は、ワイヤレスイヤホン５０が装着状態から取り外し状態に変わったときからの経過時間が残容量の通知を行う時間に到達したと判定する場合（ステップＳ１０４でＹｅｓ）、ステップＳ１０５に進む。制御部３０は、残容量の通知を行う時間に到達していないと判定する場合（ステップＳ１０４でＮｏ）、ステップＳ１０３の処理を再度実行する。
【００７１】
制御部３０は、通知選択部３６によって、通知方法を選択する（ステップＳ１０５）。より詳しくは、通知選択部３６は、ワイヤレスイヤホン５０から取得した使用情報が示す使用状態に応じて、表示によって通知する方法、音声によって通知する方法、または、振動によって通知する方法のうち１つ以上の通知方法を選択する。また、通知選択部３６は、検出部３２の検出結果に応じて、残容量の通知を、充電ケース１０、ワイヤレスイヤホン５０、または、携帯用電子機器１００のいずれが行うかを選択してもよい。制御部３０は、ステップＳ１０６に進む。
【００７２】
制御部３０は、残容量を通知する（ステップＳ１０６）。より詳しくは、制御部３０は、通知選択部３６が充電ケース１０が通知する通知方法を選択した場合、出力制御部３７によって、通知を示す情報を充電ケース１０から出力する制御を行う。制御部３０は、通知選択部３６がワイヤレスイヤホン５０が通知する通知方法を選択した場合、出力制御部６３Ｌによって、通知を示す情報を左イヤホン５０Ｌから出力する制御を行う。制御部３０は、通知選択部３６が携帯用電子機器１００が通知する通知方法を選択した場合、通知を示す情報を携帯用電子機器１００から出力する制御を行う。
【００７３】
制御部３０は、残容量の通知を行った後、所定時間が経過した場合、ユーザが通知を停止する操作を行った場合、または、イヤホン用バッテリ５６の充電が開始された場合、通知を停止させる。
【００７４】
このようにして、充電ケース１０は、予測部３３によってワイヤレスイヤホン５０の使用可能時間を予測する。そして、充電ケース１０は、検出部３２がワイヤレスイヤホン５０が筐体１０Ｈから取り外し状態であることを検出した場合、判定部３５によって、残容量の通知時間に到達したかを判定する。そして、充電ケース１０は、判定部３５が残容量の通知時間に到達したと判定する場合、残容量の通知を行う。
【００７５】
本実施形態は、ワイヤレスイヤホン５０の使用状態に応じて、表示によって通知する方法、音声によって通知する方法、または、振動によって通知する方法のうち１つ以上の通知方法を選択する。また、本実施形態は、検出部３２の検出結果に応じて、残容量の通知を、充電ケース１０、ワイヤレスイヤホン５０、または、携帯用電子機器１００のいずれが行うかを選択可能である。本実施形態によれば、状況に応じて、適切に残容量を通知することができる。これにより、例えば、本実施形態は、ユーザがワイヤレスイヤホン５０を使用していないときでも、残容量を通知することができる。例えば、本実施形態は、ユーザがワイヤレスイヤホン５０で音楽データを再生を使用しているとき、視聴を妨げずに残容量を通知することができる。
【００７６】
本実施形態は、残容量の通知を充電ケース１０のみで行なう構成とすることも可能である。この場合、充電ケース１０の通信部１１および通信制御部３１の構成が不要となり、簡易な構成とすることができる。
【００７７】
上述したように、本実施形態は、充電ケース１０の予測部３３によってワイヤレスイヤホン５０の使用可能時間を予測する。そして、本実施形態は、充電ケース１０の検出部３２がワイヤレスイヤホン５０が筐体１０Ｈから取り外し状態であることを検出した場合、判定部３５によって、残容量の通知時間に到達したかを判定する。このようにして、本実施形態は、充電ケースの判定部３５が残容量の通知時間に到達したと判定する場合、残容量の通知を行うことができる。本実施形態によれば、ワイヤレスイヤホン５０の電源が入っていないときでも、残容量の通知を行うことができる。本実施形態は、ワイヤレスイヤホン５０の充電し忘れを抑制することができる。
【００７８】
［第二実施形態］
図６、図７を参照しながら、本実施形態に係る充電システム１Ａについて説明する。図６は、第二実施形態に係る充電ケースの構成例を示すブロック図である。図７は、第二実施形態に係る充電システムにおける処理の流れを示すフローチャートである。充電システム１Ａは、基本的な構成は第一実施形態の充電システム１と同様である。以下の説明においては、充電システム１と同様の構成要素には、同一の符号または対応する符号を付し、その詳細な説明は省略する。充電システム１Ａの充電ケース１０Ａは、制御部３０Ａが特定部３８Ａを有する点と、予測部３３Ａと判定部３５Ａとにおける処理とが第一実施形態と異なる。
【００７９】
予測部３３Ａは、ワイヤレスイヤホン５０のイヤホン用バッテリ５６について、左バッテリ５６Ｌの使用可能時間と、右バッテリ５６Ｒの使用可能時間とをそれぞれ予測する。より詳しくは、予測部３３Ａは、ワイヤレスイヤホン５０のイヤホン用バッテリ５６の充電時、イヤホン用充電回路２２から、左バッテリ５６Ｌおよび右バッテリ５６Ｒのそれぞれの充電情報を取得する。そして、予測部３３Ａは、イヤホン用充電回路２２から取得した充電情報に基づいて、左バッテリ５６Ｌおよび右バッテリ５６Ｒの残容量をそれぞれ算出して、残容量から使用可能時間をぞれぞれ予測する。または、予測部３３Ａは、筐体１０Ｈにワイヤレスイヤホン５０が取り付けられた状態において、左充電端子１５および右充電端子１６からイヤホン用バッテリ５６の電圧の情報をそれぞれ取得して、左バッテリ５６Ｌおよび右バッテリ５６Ｒの電圧から使用可能時間をそれぞれ予測してもよい。
【００８０】
特定部３８Ａは、予測部３３Ａが予測した使用可能時間に基づいて、イヤホン用バッテリ５６の左バッテリ５６Ｌおよび右バッテリ５６Ｒのうち、残容量が少ない方を特定する。
【００８１】
判定部３５Ａは、特定部３８Ａによって特定された残容量が少ない方についての予測部３３Ａの予測結果に基づいて、イヤホン用バッテリ５６の残容量を通知する時間に到達したかを判定する。
【００８２】
次に、図７を用いて、充電システム１Ａにおける情報処理について説明する。図７に示すフローチャートのステップＳ１１１、ステップＳ１１３、ステップＳ１１５ないしステップＳ１１７は、図５に示すフローチャートのステップＳ１０１、ステップＳ１０２、ステップＳ１０４ないしステップＳ１０６と同様の処理を行う。
【００８３】
制御部３０Ａは、使用可能時間が少ない方を特定する（ステップＳ１１２）。より詳しくは、制御部３０Ａは、特定部３８Ａによって、予測部３３Ａの予測結果に基づいて、イヤホン用バッテリ５６の左バッテリ５６Ｌおよび右バッテリ５６Ｒのうち、残容量が少ない方を特定する。制御部３０Ａは、ステップＳ１１３に進む。
【００８４】
制御部３０Ａは、通知時間設定部３４によって、予測部３３Ａが予測した、使用可能時間が少ない方の使用可能時間に基づいて、残容量の通知を行う時間を設定する（ステップＳ１１４）。制御部３０Ａは、ステップＳ１１５に進む。
【００８５】
このようにして、充電ケース１０Ａがワイヤレスイヤホン５０の左バッテリ５６Ｌおよび右バッテリ５６Ｒのそれぞれ使用可能時間を予測して、少ない方の使用可能時間に基づいて、残容量の通知を行う。
【００８６】
上述したように、本実施形態では、充電ケース１０Ａがワイヤレスイヤホン５０の左バッテリ５６Ｌおよび右バッテリ５６Ｒのそれぞれ使用可能時間を予測して、少ない方の使用可能時間に基づいて、残容量の通知を行うことができる。本実施形態によれば、左バッテリ５６Ｌおよび右バッテリ５６Ｒの使用可能時間が異なる場合でも、適切に残容量を通知することができる。
【００８７】
［第三実施形態］
図８ないし図１２を参照しながら、本実施形態に係る充電システム１Ｂについて説明する。図８は、第三実施形態に係る充電ケースの構成例を示すブロック図である。図９は、第三実施形態に係る左イヤホンの構成例を示すブロック図である。図１０は、第三実施形態に係る右イヤホンの構成例を示すブロック図である。図１１は、第三実施形態に係る充電システムにおける処理の流れを示すフローチャートである。図１２は、第三実施形態に係る充電システムにおける処理の流れの他の例を示すフローチャートである。充電システム１Ｂの充電ケース１０Ｂは、制御部３０Ｂが残容量取得部３９Ｂを有する点と、予測部３３Ｂにおける処理とが第一実施形態と異なる。左イヤホン５０ＬＢは、制御部６０ＬＢが左残容量取得部６４ＬＢと残容量送信制御部６５ＬＢとを有する点が第一実施形態と異なる。右イヤホン５０ＲＢは、制御部６０ＲＢが右残容量取得部６４ＲＢと右残容量送信制御部６５ＲＢとを有する点が第一実施形態と異なる。
【００８８】
残容量取得部３９Ｂは、ワイヤレスイヤホン５０からイヤホン用バッテリ５６の残容量を示す残容量情報を取得する。本実施形態では、残容量取得部３９Ｂは、左バッテリ５６Ｌおよび右バッテリ５６Ｒのそれぞれの残容量を示す残容量情報を取得する。
【００８９】
予測部３３Ｂは、残容量取得部３９Ｂが取得した残容量情報に基づいて、イヤホン用バッテリ５６の使用可能時間を予測する。本実施形態では、予測部３３Ｂは、残容量取得部３９Ｂが取得した残容量情報に基づいて、左バッテリ５６Ｌの使用可能時間と、右バッテリ５６Ｒの使用可能時間とをそれぞれ予測する。
【００９０】
左残容量取得部６４ＬＢは、左バッテリ５６Ｌの残容量を取得する。
【００９１】
残容量送信制御部６５ＬＢは、左残容量取得部６４ＬＢが取得した左バッテリ５６Ｌの残容量の情報と、右イヤホン５０ＲＢから取得した右バッテリ５６Ｒの残容量の情報とを、充電ケース１０Ｂへ送信する。
【００９２】
右残容量取得部６４ＲＢは、右バッテリ５６Ｒの残容量を取得する。
【００９３】
右残容量送信制御部６５ＲＢは、右残容量取得部６４ＲＢが取得した右バッテリ５６Ｒの残容量の情報を、左イヤホン５０ＬＢへ送信する。
【００９４】
次に、図１１を用いて、充電システム１Ｂにおける情報処理について説明する。図１１に示すフローチャートのステップＳ１２３ないしステップＳ１２６は、図５に示すフローチャートのステップＳ１０３ないしステップＳ１０６と同様の処理を行う。
【００９５】
制御部３０Ｂは、残容量取得部３９Ｂによって、ワイヤレスイヤホン５０からイヤホン用バッテリ５６の残容量を取得する（ステップＳ１２１）。より詳しくは、残容量取得部３９Ｂは、左イヤホン５０ＬＢの残容量送信制御部６５ＬＢから送信された、左バッテリ５６Ｌの残容量の情報と右バッテリ５６Ｒの残容量の情報とを取得する。制御部３０Ｂは、ステップＳ１２２に進む。
【００９６】
制御部３０Ｂは、予測部３３Ｂによって、ワイヤレスイヤホン５０から取得したイヤホン用バッテリ５６の残容量の情報に基づいて、イヤホン用バッテリ５６の使用可能時間を予測する（ステップＳ１２２）。制御部３０Ｂは、ステップＳ１２３に進む。
【００９７】
次に、図１２を用いて、充電システム１Ｂにおける情報処理の他の例について説明する。図１２に示すフローチャートのステップＳ１３１、ステップＳ１３２は、図５に示すフローチャートのステップＳ１０１、ステップＳ１０２と同様の処理を行う。図１２に示すフローチャートのステップＳ１３５ないしステップＳ１４０は、図１１に示すフローチャートのステップＳ１２１ないしステップＳ１２６と同様の処理を行う。
【００９８】
制御部３０Ｂは、予測部３３Ｂが予測した使用可能時間に基づいて、ワイヤレスイヤホン５０から残容量の取得を行う時間を設定する（ステップＳ１３３）。より詳しくは、制御部３０Ｂは、ワイヤレスイヤホン５０が取り外されたときの使用可能時間から残容量の取得を開始する時間を設定する。例えば、予測された使用可能時間が「１８０分」である場合、使用可能時間の「６０分前」である「１２０分後」を残容量の取得を開始する時間に設定する。制御部３０Ｂは、ステップＳ１３４に進む。
【００９９】
制御部３０Ｂは、残容量の取得を開始する時間に到達したかを判定する（ステップＳ１３４）。制御部３０Ｂは、ワイヤレスイヤホン５０が装着状態から取り外し状態に変わったときからの経過時間が残容量の取得を開始する時間に到達したと判定する場合（ステップＳ１３４でＹｅｓ）、ステップＳ１３５に進む。制御部３０Ｂは、残容量の取得を開始する時間に達していないと判定する場合（ステップＳ１３４でＮｏ）、ステップＳ１３３の処理を再度実行する。
【０１００】
このようにして、充電ケース１０Ｂがワイヤレスイヤホン５０から取得した残容量の情報に基づいて使用可能時間を予測して、残容量の通知を行う。
【０１０１】
上述したように、本実施形態では、充電ケース１０Ｂがワイヤレスイヤホン５０から取得した残容量の情報に基づいて使用可能時間を予測して、残容量の通知を行うことができる。本実施形態によれば、イヤホン用バッテリ５６の使用可能時間をより適切に予測することができる。
【０１０２】
本実施形態によれば、ワイヤレスイヤホン５０の使用状態に応じて残容量が変化しても、イヤホン用バッテリ５６の使用可能時間を適切に予測することができる。
【０１０３】
本実施形態は、残容量の取得を開始する時間を設定して、残容量の取得を開始する時間に到達した後に、ワイヤレスイヤホン５０から残容量の取得を行うことができる。本実施形態によれば、ワイヤレスイヤホン５０から残容量の取得を行うためのデータの送受信の回数を抑制することができる。
【０１０４】
図示した充電システム１の各構成要素は、機能概念的なものであり、必ずしも物理的に図示の如く構成されていなくてもよい。すなわち、各装置の具体的形態は、図示のものに限られず、各装置の処理負担や使用状況などに応じて、その全部または一部を任意の単位で機能的または物理的に分散または統合してもよい。
【０１０５】
充電システム１の構成は、例えば、ソフトウェアとして、メモリにロードされたプログラムなどによって実現される。上記実施形態では、これらのハードウェアまたはソフトウェアの連携によって実現される機能ブロックとして説明した。すなわち、これらの機能ブロックについては、ハードウェアのみ、ソフトウェアのみ、または、それらの組み合わせによって種々の形で実現できる。
【０１０６】
上記に記載した構成要素には、当業者が容易に想定できるもの、実質的に同一のものを含む。さらに、上記に記載した構成は適宜組み合わせが可能である。また、本発明の要旨を逸脱しない範囲において構成の種々の省略、置換または変更が可能である。
【０１０７】
上記では、イヤホン用バッテリ５６は、充電ケース１０と端子によって電気的に接続された状態で充電するものとして説明したが、非接触充電であってもよい。
【０１０８】
第三実施形態では、右イヤホン５０ＲＢが右バッテリ５６Ｒの残容量の情報を左イヤホン５０ＬＢへ送信して、左イヤホン５０ＬＢが左バッテリ５６Ｌの残容量の情報と右バッテリ５６Ｒの残容量の情報とを充電ケース１０Ｂへ送信するものとして説明したが、これに限定されない。右イヤホン５０ＲＢが右バッテリ５６Ｒの残容量の情報を充電ケース１０Ｂへ直接送信するようにしてもよい。
【０１０９】
さらに、制御部３０は、充電ケース１０のケース用バッテリ１７の残容量を取得して、ケース用バッテリ１７の残容量を通知するようにしてもよい。例えば、図５に示すフローチャートのステップＳ１０２でＹｅｓと判定された後で、ステップＳ１０３の処理を実行する前に、ケース用バッテリ１７の残容量が所定値以下である場合、ケース用バッテリ１７の残容量を通知してから、ステップＳ１０３の処理を実行してもよい。これにより、ケース用バッテリ１７の充電し忘れを抑制することができる。
【符号の説明】
【０１１０】
１        充電システム
１０      充電ケース
１０Ｈ    筐体
１７      ケース用バッテリ
２１      ケース用充電回路
２２      イヤホン用充電回路（充電回路）
３０      制御部（充電制御装置）
３２      検出部
３３      予測部
３４      通知時間設定部
３５      判定部
３６      通知選択部
３７      出力制御部
５０      ワイヤレスイヤホン
５０Ｌ    左イヤホン
５６Ｌ    左バッテリ
６０Ｌ    制御部
５０Ｒ    右イヤホン
５６Ｒ    右バッテリ
６０Ｒ    制御部
【図１】
2020108223.tif 000003
【図２】
2020108223.tif 000004
【図３】
2020108223.tif 000005
【図４】
2020108223.tif 000006
【図５】
2020108223.tif 000007
【図６】
2020108223.tif 000008
【図７】
2020108223.tif 000009
【図８】
2020108223.tif 000010
【図９】
2020108223.tif 000011
【図１０】
2020108223.tif 000012
【図１１】
2020108223.tif 000013
【図１２】
2020108223.tif 000014